【手続補正書】
【提出日】平成18年5月11日(2006.5.11)
【手続補正１】
【補正対象書類名】明細書
【補正対象項目名】特許請求の範囲
【補正方法】変更
【補正の内容】
【特許請求の範囲】
【請求項１】車両に設けられ、無線電話装置が連結される連結部と、
上記車両に設けられ、音声入力に応じた入力音声信号を上記連結部を通じて上記無線電話装置に供給すべく送出する音声入力部と、
上記車両に設けられ、上記無声電話装置からの出力音声信号を上記連結部を通じて受け、該出力音声信号に応じた音声出力を発する音声出力部と、
上記車両における運転者以外の同乗者の存在を検出する同乗者検出部と、
上記車両の運転者による操作が行われる入力操作部と、
上記連結部を通じて上記無線電話装置が連結されるとともに上記同乗者検出部及び入力操作部が接続され、上記無線電話装置において着信状態がとられたとき、上記同乗者検出部により同乗者の存在が検出されない場合には、上記無線電話装置による通話が上記車両に設けられた音声入力部及び音声出力部を通じて行なわれるハンズフリー状態となし、上記同乗者検出部により同乗者の存在が検出される場合には、上記入力操作部に対する操作に基づく予めの設定に応じた状態となす制御部と、
を備えて構成される車載送受話装置。
【請求項２】上記入力操作部に対する操作に基づく予めの設定に応じた状態として、各々が選択的にとられる、上記ハンズフリー状態、及び、上記無線電話装置による通話が上記車両に設けられた音声入力部及び音声出力部を通じることなく行われる状態が含まれることを特徴とする請求項１記載の車載送受話装置。
【請求項３】上記入力操作部に対する操作に基づく予めの設定に応じた状態として、さらに、上記無線電話装置における留守番機能が発揮される状態、あるいは、上記無線電話装置における着信に対する予め設定された応答がなされる状態が含まれることを特徴とする請求項２記載の車載送受話装置。
【請求項４】上記入力操作部が、上記運転者による操作に従って、上記制御部に上記入力操作部に対する操作に基づく予めの設定に応じた状態の一つを選択させることを特徴とする請求項２記載の車載送受話装置。
【請求項５】上記同乗者検出部が、人体から輻射される赤外線に応答する赤外線センサを用いて構成されることを特徴とする請求項１記載の車載送受話装置。
【請求項６】上記同乗者検出部が、上記車両における人の乗降がある都度、検出状態を更新することを特徴とする請求項１記載の車載送受話装置。
【請求項７】上記制御部が、上記同乗者検出部によって存在が検出された同乗者が特定の者であるときには、上記無線電話装置による通話が上記車両に設けられた音声入力部及び音声出力部を通じて行われるハンズフリー状態となすことを特徴とする請求項１記載の車載送受話装置。
【手続補正２】
【補正対象書類名】明細書
【補正対象項目名】０００９
【補正方法】変更
【補正の内容】
【０００９】
【課題を解決するための手段】
本願の特許請求の範囲における請求項１から請求項７までのいずれかに記載された発明に係る車載送受話装置は、車両に設けられて無線電話装置が連結される連結部と、車両に設けられ、音声入力に応じた入力音声信号を連結部を通じて無線電話装置に供給すべく送出する音声入力部と、車両に設けられ、無声電話装置からの出力音声信号を連結部を通じて受け、その出力音声信号に応じた音声出力を発する音声出力部と、車両における運転者以外の同乗者の存在を検出する同乗者検出部と、車両の運転者による操作が行われる入力操作部と、制御部とを備え、制御部が、連結部を通じて無線電話装置が連結されるとともに同乗者検出部及び入力操作部が接続され、無線電話装置において着信状態がとられたとき、同乗者検出部により同乗者の存在が検出されない場合には、無線電話装置による通話が車両に設けられた音声入力部及び音声出力部を通じて行なわれるハンズフリー状態となし、同乗者検出部により同乗者の存在が検出される場合には、入力操作部に対する操作に基づく予めの設定に応じた状態となすものとされて構成される。
【手続補正３】
【補正対象書類名】明細書
【補正対象項目名】００１０
【補正方法】変更
【補正の内容】
【００１０】
上述の如くに構成される本願の特許請求の範囲における請求項１から請求項７までのいずれかに記載された発明に係る車載送受話装置によれば、同乗者検出手段により車室内に運転者以外の同乗者が居ないことが検出されるもとで無線電話装置において着信状態がとられるときには、当該無線電話装置による通話を、車両に設けられた音声入力部及び音声出力部を通じて行われるハンズフリー状態がとられ、また、同乗者検出手段により車室内に運転者以外の同乗者が居ることが検出されるもとで無線電話装置において着信状態がとられるときには、入力操作部に対する操作に基づく予めの設定に応じた状態がとられる。
【手続補正４】
【補正対象書類名】明細書
【補正対象項目名】００１３
【補正方法】変更
【補正の内容】
【００１３】
【発明の実施の形態】
図１は、本願の特許請求の範囲における請求項１から請求項７までのいずれかに記載された発明に係る車載送受話装置の一例を、それに連結される無線電話装置と共に示すブロック接続図である。
【手続補正５】
【補正対象書類名】明細書
【補正対象項目名】００２０
【補正方法】変更
【補正の内容】
【００２０】
このようなもとで、無線電話装置１１が連結される連結部１３と、同乗者検出部１４と、ハンズフリー装置１２に内蔵される音声入力部，音声出力部及びハンズフリー制御部とを含む部分によって、本願の特許請求の範囲における請求項１から請求項７までのいずれかに記載された発明に係る車載送受話装置の一例が形成されている。
【手続補正６】
【補正対象書類名】明細書
【補正対象項目名】００７８
【補正方法】変更
【補正の内容】
【００７８】
上述の図１に示される本願の特許請求の範囲における請求項１から請求項７までのいずれかに記載された発明に係る車載送受話装置の一例にあっては、それに連結される無線電話装置が携帯電話機とされているが、無線電話装置は、携帯電話機に限られず、例えば、車両に設置される自動車電話機とされてもよい。また、同乗者検出部１４が赤外線センサー６１を用いて構成されたものとされているが、同乗者検出部１４は、赤外線センサーを用いて構成されたものに限られず、赤外線センサー以外の種々の人体検出手段を用いて構成されたものとされてもよいこと勿論である。
【手続補正７】
【補正対象書類名】明細書
【補正対象項目名】００７９
【補正方法】変更
【補正の内容】
【００７９】
【発明の効果】
以上の説明から明らかな如く、本願の特許請求の範囲における請求項１から請求項７までのいずれかに記載された発明に係る車載送受話装置によれば、同乗者検出手段により車室内に運転者以外の同乗者が居ないことが検出されるもとで無線電話装置において着信状態がとられるときには、当該無線電話装置による通話を、車両に設けられた音声入力部及び音声出力部を通じて行われるハンズフリー状態がとられ、また、同乗者検出手段により車室内に運転者以外の同乗者が居ることが検出されるもとで無線電話装置において着信状態がとられるときには、入力操作部に対する操作に基づく予めの設定に応じた状態、例えば、ハンズフリー状態、あるいは、無線電話装置による通話が車両に設けられた音声入力部及び音声出力部を通じることなく行われる状態，無線電話装置における留守番機能が発揮される状態、もしくは、無線電話装置における着信に対する予め設定された応答がなされる状態がとられる。
【手続補正８】
【補正対象書類名】明細書
【補正対象項目名】図１
【補正方法】変更
【補正の内容】
【図１】
本願の特許請求の範囲における請求項１から請求項７までのいずれかに記載された発明に係る車載送受話装置の一例を、それに連結される無線電話装置と共に示すブロック接続図である。
【手続補正９】
【補正対象書類名】明細書
【補正対象項目名】図２
【補正方法】変更
【補正の内容】
【図２】
図１に示される本願の特許請求の範囲における請求項１から請求項７までのいずれかに記載された発明に係る車載送受話装置の一例及び無線電話装置をより詳細に示すブロック接続図である。